(57)【要約】【課題】ドアレール清掃装置において、適切な量の油を油含浸清掃部材に補充することである。【解決手段】エレベータ１０のドアレール清掃装置２７は、乗りかごドア２４に取り付けられ、乗りかごドア２４の開閉を案内するドアレール２６上を乗りかごドア２４の開閉とともに摺動する油含浸清掃部材２８と、乗りかごドア２４の開閉回数が所定の閾値になるごとに、油含浸清掃部材２８に油を滴下して補充する油補充器３０と、を備える。【選択図】図２
2014111487.tif 000002
【特許請求の範囲】
【請求項１】
開閉ドアに取り付けられ、前記開閉ドアの開閉を案内するドアレール上を前記開閉ドアの開閉とともに摺動する油含浸清掃部材と、
前記開閉ドアの開閉回数が所定の閾値になるごとに、前記油含浸清掃部材に油を滴下して補充する油補充器と、
を備えることを特徴とするエレベータのドアレール清掃装置。
【請求項２】
請求項１に記載のエレベータのドアレール清掃装置において、
前記油補充器は、
前記開閉ドアが開いたときに前記油を前記油含浸清掃部材に滴下可能な位置に取り付けられていることを特徴とするエレベータのドアレール清掃装置。
【請求項３】
請求項１または請求項２に記載のエレベータのドアレール清掃装置において、
前記開閉ドアが開閉されたときに信号を出力するスイッチ部と、
前記スイッチ部の前記信号をカウントするカウンタ部と、を備え、
前記油補充器は、前記油を滴下するために開弁する電気式開閉弁を有し、
前記電気式開閉弁は、前記カウンタ部がカウントした回数が前記閾値になるごとに電気的に開弁されることを特徴とするエレベータのドアレール清掃装置。
【発明の詳細な説明】
【技術分野】
【０００１】
本発明は、エレベータのドアレール清掃装置に係り、特に、油含浸清掃部材を備えるエレベータのドアレール清掃装置に関する。
【背景技術】
【０００２】
従来から、商業施設等においてエレベータが設置されている。エレベータは、保守作業員によって定期的に保守点検がなされている。保守点検の一環として、乗りかごドア又は乗場ドアの開閉を案内するドアレール上を乗りかごドア及び乗場ドアの開閉とともに摺動する油含浸清掃部材への油の補充が行われている。
【０００３】
本発明に関連する技術として、例えば、特許文献１には、ドアレール清掃装置として、清掃体が開閉ドアの開閉とともにドアレール上を摺動する方向を、開閉ドアの開方向又は閉方向の一方向のみとする清掃体回動機構を備えることが開示されている。
【先行技術文献】
【特許文献】
【０００４】
【特許文献１】特開２０１１−１４０３７８号公報
【発明の概要】
【発明が解決しようとする課題】
【０００５】
ところで、油含浸清掃部材に油を定期的に補充するに際し、保守作業員は経験則に基づいて油を補充しているため、場合によっては補充する油量が不足していたり、油量が多過ぎたりする可能性がある。
【０００６】
本発明の目的は、適切な量の油を油含浸清掃部材に補充することを可能とするドアレール清掃装置を提供することである。
【課題を解決するための手段】
【０００７】
本発明に係るエレベータのドアレール清掃装置は、開閉ドアに取り付けられ、前記開閉ドアの開閉を案内するドアレール上を前記開閉ドアの開閉とともに摺動する油含浸清掃部材と、前記開閉ドアの開閉回数が所定の閾値になるごとに、前記油含浸清掃部材に油を滴下して補充する油補充器と、を備えることを特徴とする。
【０００８】
また、本発明に係るエレベータのドアレール清掃装置において、前記油補充器は、前記開閉ドアが開いたときに前記油を前記油含浸清掃部材に滴下可能な位置に取り付けられていることが好ましい。
【０００９】
また、本発明に係るエレベータのドアレール清掃装置において、前記開閉ドアが開閉されたときに信号を出力するスイッチ部と、前記スイッチ部の前記信号をカウントするカウンタ部と、を備え、前記油補充器は、前記油を滴下するために開弁する電気式開閉弁を有し、前記電気式開閉弁は、前記カウンタ部がカウントした回数が前記閾値になるごとに電気的に開弁されることが好ましい。
【発明の効果】
【００１０】
上記構成によれば、開閉ドアの開閉回数が所定の閾値になるごとに、油含浸清掃部材に油が補充される。これにより、油含浸清掃部材がドアレール上を摺動する距離が所定の距離となるごとに、すなわち、油の使用量が所定の量となるごとに油が補充される。したがって、油の使用量に対応する適切な量の油を補充することができる。
【図面の簡単な説明】
【００１１】
【図１】本発明に係る実施の形態のドアレール清掃装置を備えるエレベータを示す図である。
【図２】本発明に係る実施の形態のドアレール清掃装置を備えるエレベータにおいて、乗りかご内の乗りかごドアが開いている様子を示す図である。
【図３】本発明に係る実施の形態のドアレール清掃装置を備えるエレベータにおいて、乗りかごドアの開閉信号と、電気式開閉弁の開弁信号とのタイミング関係を示す図である。
【図４】本発明に係る実施の形態のドアレール清掃装置を備えるエレベータにおいて、乗りかごドアの開閉信号と、電気式開閉弁の開弁信号とのタイミング関係を示す図である。
【図５】本発明に係る実施の形態のドアレール清掃装置を備えるエレベータにおいて、様々なタイプの乗りかごドアを示す図である。
【発明を実施するための形態】
【００１２】
以下、本発明の実施形態について図面を用いて説明する。以下ではすべての図面において同様の要素には同一の符号を付して説明する。また、以下では、ドアレール清掃装置は乗りかごドアを案内するドアレールの清掃装置であるとして説明するが、乗場ドアを案内するドアレールの清掃装置であってもよい。また、以下では、乗りかごドアは、両開き扉であるとして説明するが、もちろん、片開き扉であってもよい。
【００１３】
図１は、ドアレール清掃装置２７を備える両開き扉式のエレベータ１０を示す図である。図２は、乗りかご２２内から全開している乗りかごドア２４を見た様子を示す図である。エレベータ１０は、昇降路１２と、昇降路１２の下部に位置するピット１４と、主ロープ１６と、釣合錘１８と、巻上機２０と、乗りかご２２と、ドアレール清掃装置２７と、制御部４０とを備える。エレベータ１０は、各階の乗場間において、乗りかご２２を昇降させることができる装置である。
【００１４】
昇降路１２は、建物に上下に貫通して設けられる空間領域で、その中を乗りかご２２が昇降する領域である。ピット１４は、昇降路１２の下部に位置し、巻上機２０及び制御部４０等が配置されている。
【００１５】
主ロープ１６は、乗りかご２２及び釣合錘１８を吊るすためのロープであり、巻上機２０の作動によって駆動される。主ロープ１６の一方端は乗りかご２２に接続され、他方端は釣合錘１８に接続される。釣合錘１８の重さは、主ロープ１６の一方端に接続される乗りかご２２との間でバランスを取るように設定される。乗りかご２２は、所定の人数が乗り込める程度の広さを有している。巻上機２０は、制御部４０の制御によって作動する主ロープ駆動装置である。
【００１６】
乗りかごドア２４は、乗りかご２２が着床した際に開閉する両開き扉である。乗りかごドア２４は、制御部４０に制御される図示しない開閉駆動機構によって開閉される。ドアレール２６は、長手方向が乗りかごドア２４の開閉方向に沿うように乗りかご２２の内壁に取り付けられる。ドアレール２６は、乗降口の上方に取り付けられる。ドアレール２６の全長Ｌｃは、乗りかごドア２４の全閉状態から全開状態まで開閉を案内することが可能な長さに設定される。
【００１７】
ドアローラ２６ａは、乗りかごドア２４の各扉２３，２５の上部に回転可能に取り付けられる。ドアローラ２６ａは、乗りかごドア２４の開閉とともにドアレール２６上を転動するように設けられている。ドアレール２６に載置されたドアローラ２６ａは、乗りかごドア２４を吊り下げる。ここでは、ドアローラ２６ａは、各扉２３，２５にそれぞれ２個ずつ取り付けられる。
【００１８】
スイッチ部３４は、乗りかご２２の内壁に取り付けられ、乗りかごドア２４が開いた際に乗りかごドア２４によって押圧されたときに、乗りかごドア２４が開いたことを示す開信号を制御部４０に出力する。
【００１９】
ドアレール清掃装置２７は、油含浸清掃部材２８と、油補充器３０と、電気式開閉弁３１とを備える。油含浸清掃部材２８は、ドアレール２６上を乗りかごドア２４の開閉とともに摺動するように、乗りかごドア２４の各扉２３，２５の上部左右両側にそれぞれ取り付けられる。油含浸清掃部材２８は、各扉２３，２５の上部左右両側から延伸する支持部材と、支持部材によって支持され交換可能な清掃部材とを備える。油含浸清掃部材２８の清掃部材は、油の含浸に適しており、かつ、ドアレール２６上を摺動する際に塵等を吸着するのに適した材料で構成される。油含浸清掃部材２８の清掃部材は、例えば、布、フェルト、発泡性樹脂材等で構成することができる。ここでは、油含浸清掃部材２８は、各扉２３，２５にそれぞれ２個ずつ取り付けられる。
【００２０】
油補充器３０は、油を貯留するタンクと、タンクの底部から下方に向けて延伸する吐出部とを備える。各油補充器３０は、乗りかごドア２４が全開したときに油含浸清掃部材２８に油を吐出部から滴下可能な位置に乗りかご２２の内壁に取り付けられる。ここでは、油補充器２８は、油含浸清掃部材２８の個数に対応するように４個設けられている。電気式開閉弁３１は、油補充器３０の吐出部に取り付けられる電気式の開閉弁であり、制御部４０の制御によって開閉する。
【００２１】
制御部４０は、カウント処理部４２と、開閉弁処理部４４とを備える。カウント処理部４２は、スイッチ部３４からの開信号を受け取るごとにカウントアップし、予め定められた所定の閾値になるとカウント値を初期値０とし、その後再びカウントアップするカウント処理を行う。開閉弁処理部４４は、カウント処理部４２が上記所定の閾値になるごとに乗りかごドア２４を全開状態としてそのまま停止させ、所定の期間Ｔｓの間電気式開閉弁３１を開弁し、その後、電気式開閉弁３１を閉弁して乗りかごドア２４を全閉状態とする油補充処理を行う。なお、上記所定の期間Ｔｓは短時間であるため、その期間内に乗客により乗りかごドア２４の閉操作がなされた場合でも油補充処理を優先するものとして説明する。
【００２２】
上記構成のドアレール清掃装置２７を備えるエレベータ１０の作用について説明する。図３は、乗りかごドア２４の開閉信号と、開閉弁処理部４４による電気式開閉弁３１の開弁信号とのタイミング関係を示す図である。図３の横軸は時間を示し、縦軸は信号の電圧値を示す。図３の上図は、乗りかごドア２４の開閉信号を示し、図３の下図は、開閉弁処理部４４による電気式開閉弁３１の開弁信号を示す。ドアレール清掃装置２７を備えるエレベータ１０では、図３の上図に示されるように、時刻ｔ0に乗りかごドア２４の開操作がなされると信号が立ち上がって乗りかごドア２４が開き、このときスイッチ部２４が押圧されて開信号が出力される。そして、所定の期間ＴOPENが経過した時刻ｔ1で信号が自動的に立ち下がって乗りかごドア２４が閉じる。スイッチ部２４からの開信号をカウントアップした値が所定の閾値になるときの時刻ｔnの立ち上がりでカウント値を０とし、図３の下図に示されるように、乗りかごドア２４が開いている時刻Ｔ1から時刻Ｔ2までの所定の期間Ｔｓの間電気式開閉弁３１が開弁される。ここで、上記カウントアップされた値が所定の閾値になったときに油含浸清掃部材２８が移動した距離、すなわち、油の使用量は一定である。また、上記所定の期間Ｔｓだけ電気式開閉弁３１が開弁されるときに滴下される油量は一定である。そして、上記所定の閾値と所定の期間Ｔｓを調整することで、油含浸清掃部材２８に適切な量の油を補充することができる。
【００２３】
なお、上記では、上記所定の期間Ｔｓは短時間であるため、その期間内に乗客により乗りかごドア２４の閉操作がなされた場合でも油補充処理を優先するものとして説明したが、この短時間に閉操作がなされたときに閉操作を優先させるために、開閉弁処理部４４には、以下の機能を加えることもできる。図４は、乗りかごドア２４の開閉信号と、開閉弁処理部４４による電気式開閉弁３１の開弁信号とのタイミング関係を示す図である。開閉弁処理部４４は、電気式開閉弁３１が開弁している途中で乗客が乗りかごドア２４の閉操作をした場合に閉弁して乗りかごドア２４と閉じる。このとき、電気式開閉弁３１が開弁していた時間をＴｓ'とする。そして、開閉弁処理部４４は、その後、時刻ｔn+2における乗客による開操作がなされて乗りかごドア２４が開いている間に残りの期間Ｔｓ−Ｔｓ'だけ開弁処理を行う機能を有する。これにより、電気式開閉弁３１の開弁時間は合計Ｔｓとなる。これにより、乗客のエレベータ１０を利用する際の利便性を向上させるとともに、定期的に油含浸清掃部材２８に適切な量の油を補充することができる。
【００２４】
なお、上記では、乗りかごドア２４は２枚の扉２３，２５で構成される両開き扉であるものとして説明したが、枚数に限定はなく、また片開き扉であってもよい。この際、油含浸清掃部材２８は、ドアレール２６の全長Ｌｃを清掃できるような位置に適した個数設置されることが好ましい。図５は、様々なタイプの乗りかごドア２４を示す図であり、扉の中央部に示した矢印は扉の開方向を示している。図５（ａ）は、上記エレベータ１０で示した２枚両開き扉の乗りかごドア２４を示している。図５（ｂ）は、１枚片開き扉の乗りかごドア２５を示している。この乗りかごドア２５では、油含浸清掃部材２８は、ドアレール２６の全長Ｌｃを清掃できるように、扉２５の上部両側に設けられる。図５（ｃ）は、２枚片開き扉の乗りかごドア２４を示している。この乗りかごドア２４は、右側に開く。そのため、この乗りかごドア２４では、最低限の個数でドアレール２６の全長Ｌｃを清掃するために油含浸清掃部材２８は、左側に位置する扉２３の上部両側に設けられている。図５（ｄ）は、４枚両開き扉の乗りかごドアを示している。この乗りかごドア２４では、最低限の個数でドアレール２６の全長Ｌｃを清掃するために個数油含浸清掃部材２８は、乗降口の中央部に位置する扉２３Ｒ，２５Ｌの上部両側に設けられている。
【符号の説明】
【００２５】
１０  エレベータ、１２  昇降路、１４  ピット、１６  主ロープ、１８  釣合錘、２０  巻上機、２２  乗りかご、２４  乗りかごドア、２６ａ  ドアローラ、２６  ドアレール、２７  ドアレール清掃装置、２８  油含浸清掃部材、３０  油補充器、３１  電気式開閉弁、３４  スイッチ部、４０  制御部、４２  カウント処理部、４４  開閉弁処理部。
【図１】
2014111487.tif 000003
【図２】
2014111487.tif 000004
【図３】
2014111487.tif 000005
【図４】
2014111487.tif 000006
【図５】
2014111487.tif 000007